(57)【要約】【課題】簡易な構成でありながらも、足に容易にフィットさせられ、十分有効に外反母趾または内反小趾用を矯正できる外反母趾・内反小趾用サポーターを提供すること。【解決手段】伸縮性を有する縫製物で構成され、使用者の足のつま先部分を収容すると共に足に固着される袋体と、使用者の足の親指と人差し指との間に挟まれ、その両指の間を拡開する拡開部材と、袋体の内部において、使用者の足の親指と人差し指との間に位置可能であり、挿入設置される拡開部材を保持する拡開部材収納室とを備え、使用者の足の親指と人差し指との間を拡開して外反母趾を矯正する。【選択図】図１
0003160030.tif 000002
【実用新案登録請求の範囲】
【請求項１】
伸縮性を有する縫製物で構成され、使用者の足のつま先部分を収容すると共に足に固着される袋体と、
使用者の足の親指と人差し指との間に挟まれ、その両指の間を拡開する拡開部材と、
袋体の内部において、使用者の足の親指と人差し指との間に位置可能であり、挿入設置される拡開部材を保持する拡開部材収納室とを備え、
使用者の足の親指と人差し指との間を拡開して外反母趾を矯正する
ことを特徴とする外反母趾サポーター。
【請求項２】
伸縮性を有する縫製物で構成され、使用者の足のつま先部分を収容すると共に足に固着される袋体と、
使用者の足の小指と薬指との間に挟まれ、その両指の間を拡開する拡開部材と、
袋体の内部において、使用者の足の小指と薬指との間に位置可能であり、挿入設置される拡開部材を保持する拡開部材収納室とを備え、
使用者の足の小指と薬指との間を拡開して内反小趾を矯正する
ことを特徴とする内反小趾用サポーター。
【請求項３】
袋体が、靴下編み機で縫製され、靴下のつま先部分と略等しい形状である
請求項１または２に記載の外反母趾・内反小趾用サポーター。
【請求項４】
拡開部材収納室が、袋体の先端部から開口部に向かって縫い付けられた略平行な２本の編み目の間隙で構成される
請求項１ないし３のいずれかに記載の外反母趾・内反小趾用サポーター。
【請求項５】
袋体の側部に、使用者の中足部分を締め付ける補強部を備える
請求項１ないし４のいずれかに記載の外反母趾・内反小趾用サポーター。
【請求項６】
拡開部材が、拡開部材収納室に出入自在であり、形状の異なるものにも取り替え可能である
請求項１ないし５のいずれかに記載の外反母趾・内反小趾用サポーター。
【考案の詳細な説明】
【技術分野】
【０００１】
本考案は、使用者の足のつま先部分に嵌めて用い、外反母趾または内反小趾用を矯正するサポーターに関する。
【背景技術】
【０００２】
外反母趾は、足の親指が小指の方に曲がる症状であり、内反小趾は、同様に足の小指が親指の方に曲がる症状である。
足に合わない靴を履いている場合、特にかかとの高い靴を長時間履いている場合に生じやすいと言われている。症状の進行によっては、歩行や起立のたびに痛みを生じることもある。
【０００３】
外反母趾または内反小趾を軽減するには、足の親指と人差し指との間または小指と薬指との間にパットを挟み、指の間を拡開することが有効である。そのように足の指の間を拡開する従来技術には、特許文献１〜７が挙げられる。
しかし、従来の用具では、足に容易にフィットさせ、十分有効に外反母趾または内反小趾用を矯正することは困難であった。
【先行技術文献】
【特許文献】
【０００４】
【特許文献１】特開２００９−２７９３９９  「外反母趾矯正用具」
【特許文献２】特開２００９−１９７３７７  「靴が履ける外反母趾による痛み軽減対策中敷付き靴下」
【特許文献３】特開２００９−１４２  「外反母趾対策具」
【特許文献４】特開２００８−１２１１７７  「靴下及びサポータ」
【特許文献５】特開２００８−９３３９９  「外反母趾矯正パッド」
【特許文献６】特開２００７−３３０７４３  「外反母趾・内反小指の予防矯正サポーター」
【特許文献７】特開２００７−１６７１８０  「外反母趾及び内反小指矯正用サポータ」
【考案の概要】
【考案が解決しようとする課題】
【０００５】
そこで、本考案は、簡易な構成でありながらも、足に容易にフィットさせられ、十分有効に外反母趾または内反小趾用を矯正できる外反母趾・内反小趾用サポーターを提供することを課題とする。
【課題を解決するための手段】
【０００６】
上記課題を解決するために、本考案は次の構成を備える。
すなわち、本考案の外反母趾サポーターは、伸縮性を有する縫製物で構成され、使用者の足のつま先部分を収容すると共に足に固着される袋体と、使用者の足の親指と人差し指との間に挟まれ、その両指の間を拡開する拡開部材と、袋体の内部において、使用者の足の親指と人差し指との間に位置可能であり、挿入設置される拡開部材を保持する拡開部材収納室とを備え、使用者の足の親指と人差し指との間を拡開して外反母趾を矯正することを特徴とする。
【０００７】
本考案の内反小趾用サポーターは、伸縮性を有する縫製物で構成され、使用者の足のつま先部分を収容すると共に足に固着される袋体と、使用者の足の小指と薬指との間に挟まれ、その両指の間を拡開する拡開部材と、袋体の内部において、使用者の足の小指と薬指との間に位置可能であり、挿入設置される拡開部材を保持する拡開部材収納室とを備え、使用者の足の小指と薬指との間を拡開して内反小趾を矯正することを特徴とする。
【０００８】
ここで、袋体を、靴下編み機で縫製され、靴下のつま先部分と略等しい形状であるものとしてもよい。
【０００９】
拡開部材収納室を、袋体の先端部から開口部に向かって縫い付けられた略平行な２本の編み目の間隙で構成してもよい。
【００１０】
袋体の側部に、使用者の中足部分を締め付ける補強部を設けてもよい。
【００１１】
拡開部材を、拡開部材収納室に出入自在であり、形状の異なるものにも取り替え可能としてもよい。
【考案の効果】
【００１２】
本考案の外反母趾・内反小趾用サポーターによると、袋体によって使用者の足に容易にフィットさせられ、  拡開部材によって使用者の足の指の間を適宜拡開でき、外反母趾または内反小趾用の矯正に有効に寄与する。
【図面の簡単な説明】
【００１３】
【図１】外反母趾サポーターを構成する袋体と拡開部材の正面図
【図２】外反母趾サポーターの正面図
【図３】内反小趾用サポーターの正面図
【考案を実施するための形態】
【００１４】
以下に、本考案の実施形態を説明する。なお、本考案の趣旨から逸脱しない範囲で、適宜設計変更可能であり、前記特許文献や従来公知の技術を援用可能である。
【００１５】
図１は、本考案による外反母趾サポーターを構成する袋体と拡開部材の正面図であり、図２は、それによる外反母趾サポーターの正面図である。
袋体（１０）は、従来公知の靴下編み機等で縫製可能であり、従来公知の靴下のように、伸縮性を有する縫製物で構成され、靴下のつま先部分と略等しい形状を有する。そのため、使用者の足のつま先部分を収容すると共に、足にフィットして安定装着される。
【００１６】
使用者の足の親指と人差し指との間の位置に相当する袋体（１０）の部位には、拡開部材（２０）の設置される拡開部材収納室（１１）が備わる。
拡開部材収納室（１１）は、袋体（１０）の先端部（１２）から開口部（１３）に向かって配置された略平行な２本の編み目（１４）（１４）の間隙で構成される。この編み目（１４）も、袋体（１０）の縫製と同時に縫製可能である。また、編み目（１４）を、縫製でなく、接着剤などによって別途構成してもよい。
【００１７】
拡開部材収納室（１１）も、袋体（１０）の開口部（１３）の側に開口しているため、袋体（１０）の開口部（１３）から、拡開部材（２０）を容易に挿入設置させられる。
拡開部材（２０）は、略直方体の弾性部材で構成される。台形柱状などにしてもよく、また、使用者の特性に応じて、切削等により変形加工可能にしてもよい。
【００１８】
使用時には、拡開部材収納室（１１）に設置された拡開部材（２０）は、使用者の足の親指と人差し指との間に挟まれ、その両指の間を拡開して外反母趾を矯正する。
拡開部材（２０）は、拡開部材収納室（１１）に出入自在であるため、形状の異なるものに取り替え自在であり、また、洗濯等による浄化も容易である。
【００１９】
袋体（１０）の開口部（１３）寄りに位置するサポーター部（１５）には、従来公知の靴下と同様に、弾性に富む縫製物を配置し、足へのフィットに寄与させてもよい。サポーター部（１５）の位置や範囲は、サポーターとしての機能を有する限り適宜調整可能である。
袋体（１０）の側部に位置する補強部（１６）に更に、弾性に富む縫製物を配置し、使用者の中足部分を締め付ける補強を施してもよい。中足を締めることによっても、外反母趾の矯正に寄与する。
【００２０】
図示の補強部（１６）は、略半円状であるが、形状や範囲は、サポーターとしての機能を有する限り適宜調整可能である。また、図示の例では、拡開部材収納室（１１）寄りの一側部に設けられているが、他の側部に設けてもよいし、両側部に設けてもよい。
【００２１】
図３は、内反小趾用サポーターの正面図である。
図１及び２に示した外反母趾サポーターとの差異は、拡開部材収納室（１１）が、使用者の足の小指と薬指との間の位置に相当する部位に設置される点である。
これによると、前記の外反母趾サポーターと同様に、使用者の足の小指と薬指との間が拡開され、内反小趾が矯正される。
【産業上の利用可能性】
【００２２】
以上のように、本考案によると、日常的に装着して用いるのみで、外反母趾や内反小趾用が矯正されるので、健康増進に寄与し、産業上非常に有用である。
【符号の説明】
【００２３】
１０  袋体
１１  拡開部材収納室
１２  先端部
１３  開口部
１４  編み目
１５  サポーター部
１６  補強部
２０  拡開部材
【図１】
0003160030.tif 000003
【図２】
0003160030.tif 000004
【図３】
0003160030.tif 000005